(57)【特許請求の範囲】
【請求項１】
取付用枠部材の室内側部にカーテンウオールユニットを取付けてユニットとし、建物躯体に補助躯体を取付け、
前記取付用枠部材を補助躯体に取付けて複数のユニットを上下・左右に配設したカーテンウオールにおいて、
前記カーテンウオールユニットの枠体を、その上端部分が分割されて後付け可能で、かつ上端部分を取付けることで補助躯体が貫通する大きさの枠部を形成する形状とし、
この枠部を補助躯体が貫通して補助躯体が取付用枠部材に連結されていることを特徴とするカーテンウオール。
【請求項２】
前記カーテンウオールの枠体上端部分は、上枠と左右の縦枠上端部分で下向きコ字状の上枠体で、この上枠体を、無目と下枠と左右の縦枠下端部分で矩形状の下枠体の上部に取付けることで補助躯体が貫通する大きさの枠部を形成し、
前記下枠体が取付用枠部材の室内側部に取付けられる請求項１記載のカーテンウオール。
【請求項３】
前記枠部と補助躯体の間の隙間をシール材で閉塞した請求項１又は２記載のカーテンウオール。
【請求項４】
前記取付用枠部材の室内側部にファスナーを取付け、このファスナーを、前記縦枠上端部分と縦枠下端部分に跨って取付けた請求項２記載のカーテンウオール。
【発明の詳細な説明】
【０００１】
【発明の属する技術分野】
本発明は、建物の外壁を形成するカーテンウオールに関する。
【０００２】
【従来の技術】
建物躯体に方立を取付け、左右の方立間に上下横枠、無目等を連結して方形枠部を形成し、この方形枠部にパネル、ガラス、障子等の面材を装着した方立式のカーテンウオールが知られている。
また、上枠と下枠と左右の縦枠を連結して方形枠とし、この方形枠にパネル、ガラス、障子等の面材を装着してカーテンウオールユニットとし、このカーテンウオールユニットを建物躯体に取付けたユニット式のカーテンウオールが知られている。
【０００３】
【発明が解決しようとする課題】
前述の方立式のカーテンウオール、ユニット式のカーテンウオールの外観は、方立、上下横枠、無目、縦枠、上枠、下枠が室外側から見える意匠を呈する。
また、前述の方立、縦枠は面材を支持する機能を持つので、必然的にその外観意匠に制約を受ける。
このために、従来のカーテンウオールの外観には制約があり、自由な外観のカーテンウオールを形成することは難しい。
【０００４】
このことを解消するために、取付用枠部材の室内側部にカーテンウオールユニットを取付けてユニットとし、その取付用枠部材を建物躯体に取付け、取付用枠部材に意匠性を持たせることにより表情豊かな外観のカーテンウオールが提案できる。
また、このカーテンウオールは取付用枠部材の外観意匠を変えることで自由な外観のカーテンウオールを形成できる。
【０００５】
しかし、前述のカーテンウオールは、建物躯体と縦部材の間にカーテンウオールユニットが位置するので、建物躯体と取付用枠部材の連結が問題である。
【０００６】
そこで、本発明は前述の課題を解決できるようにしたカーテンウオールを提供することを目的とする。
【０００７】
【課題を解決するための手段】
第１の発明は、取付用枠部材の室内側部にカーテンウオールユニットを取付けてユニットとし、建物躯体に補助躯体を取付け、
前記取付用枠部材を補助躯体に取付けて複数のユニットを上下・左右に配設したカーテンウオールにおいて、
前記カーテンウオールユニットの枠体を、その上端部分が分割されて後付け可能で、かつ上端部分を取付けることで補助躯体が貫通する大きさの枠部を形成する形状とし、
この枠部を補助躯体が貫通して補助躯体が取付用枠部材に連結されていることを特徴とするカーテンウオールである。
【０００８】
第２の発明は、第１の発明において前記カーテンウオールの枠体上端部分は、上枠と左右の縦枠上端部分で下向きコ字状の上枠体で、この上枠体を、無目と下枠と左右の縦枠下端部分で矩形状の下枠体の上部に取付けることで補助躯体が貫通する大きさの枠部を形成し、
前記下枠体が取付用枠部材の室内側部に取付けられるカーテンウオールである。
【０００９】
第３の発明は、第１又は第２の発明において前記枠部と補助躯体の間の隙間をシール材で閉塞したカーテンウオールである。
【００１０】
第４の発明は、第２の発明において前記取付用枠部材の室内側部にファスナーを取付け、このファスナーを、前記縦枠上端部分と縦枠下端部分に跨って取付けたカーテンウオールである。
【００１１】
【作    用】
第１の発明によれば、室外側から取付用枠部材が見える外観のカーテンウオールであるので、その取付用枠部材の外観意匠を変えることで自由な外観意匠のカーテンウオールとすることができる。
また、補助躯体が枠体の枠部を貫通して縦部材に連結してあるので、その取付用枠部材と補助躯体を容易に連結できる。
また、ユニットを取付ける時に枠体の上端部分を分割して取り外した形状とすることで、ユニットを真直ぐに所定の取付け高さ位置まで吊り上げても枠体が補助躯体と干渉しないから、そのユニットの取付け作業が効率良く実施できる。
【００１２】
第２の発明によれば、枠体の上端部分が下向きコ字状の上枠体であるので、ユニットを取付けた後に上枠体を、補助躯体を跨ぐようにして容易に取付けできる。
【００１３】
第３の発明によれば、枠部と補助躯体との間から雨水等が室内側に浸入することを防止できる。
【００１４】
第４の発明によれば、枠体を形成する上枠体の縦枠上端部分と下枠体の縦枠下端部分がファスナーで連結される。
したがって、カーテンウオールと取付用枠部材の連結と同時に上枠体と下枠体を連結できるので、その作業が容易で効率良く施工できる。
【００１５】
【発明の実施の形態】
図１と図２と図３に示すように、複数の縦部材１を複数の横部材２で左右方向に間隔を置いて連結することで取付用枠部材３を形成する。
前記複数の縦部材１の室内側部にカーテンウオールユニット４を上下方向に複数取付けることで第１，第２，第３のユニット５，６，７を形成している。
前記第１，第２，第３のユニット５，６，７の各縦部材１の上端部分が建物躯体、例えば床スラブ８に固着した補助躯体９にそれぞれ取付けられる。
前記第１のユニット５の左右両側に第２，第３のユニット６，７が配設され、それらは図３に示すように円孤形状に湾曲している。
【００１６】
前記縦部材１は、室外側寄りの第１縦材１０と室内側寄りの一対の第２縦材１１と、第１縦材１０と一対の第２縦材１１に亘ってそれぞれ水平に連結した複数の第１補強横材１２と、第１縦材１０と一対の第２縦材１１に亘って斜めに連結した複数の第２補強横材１３で平面形状が三角形のトラス形状である。
この一対の第２縦材１１の上端部分が前記補助躯体９に固着してある。
【００１７】
前記横部材２は上下の横材１４間に縦材１５を固着した形状で、その上下の横材１４が隣接した縦部材１の一対の縦材１１に固着してある。
なお、第２，第３のユニット６，７の横部材２は、第１のユニット５の縦部材１の縦材１１に固着してある。
【００１８】
前記カーテンウオールユニット４は図４に示すように、左右の縦枠２０間に上枠２１、無目２２、下枠２３を横架した複数の枠部２４を有する枠体２５と、この枠体２５の各枠部２４に装着した面材２６で形成してある。
【００１９】
前記第１のユニット５は、左右方向に７つのカーテンウオールユニット４が配設され、かつ上下方向に３つのカーテンウオールユニット４が配設してある。
前記第２のユニット６、第３のユニット７は、左右方向に６つのカーテンウオールユニット４が配設され、かつ上下方向に３つのカーテンウオールユニット４が配設されている。
【００２０】
前記第１のユニット５の取付用枠部材３は、３つの縦部材１を備えている。
前記第２，第３のユニット６，７の取付用枠部材３は、２つの縦部材１を備えている。
前記第１，第２，第３のユニット５，６，７における前記縦部材１と対向するカーテンウオールユニット４の面内方向寸法（左右の縦枠２０の間隔）は縦部材１の一対の第２縦材１１の間隔と略同一で、このカーテンウオールユニット４を形成する枠体２５の最上部の枠部２４に補助躯体９が貫通し、その補助躯体９と縦部材１の一対の第２縦材１１が固着される。
【００２１】
前記左右に隣接した２つのカーテンウオールユニット４の隣接した縦枠２０はファスナー４０で前記取付用枠部材３の室内側部にそれぞれ連結してある。
具体的には、前記縦部材１と対向したカーテンウオールユニット４の縦枠２０はファスナー４０で縦材１１にそれぞれ連結してある。このカーテンウオールユニット４以外のカーテンウオールユニット４の縦枠２０はファスナー４０で横部材２の横材１４に連結してある。
【００２２】
前記縦枠２０は図５に示すように、室内側寄りに外向凹部２７、室内外側方向中間に内向凹部２８、室外側寄りに外向き凹部２９を有する断面形状である。
前記左右他方の縦枠２０は図５に示すように、室内側寄りに一対の突出片３０、室内外側方向中間に内向凹部３１、室外側寄りに突出片３２を有する断面形状である。
各内向凹部２８，３１間に面材２６（ガラス）の左右縦縁部が装着されてシール材３３でシールしてある。
【００２３】
そして、左右に隣接した一方のカーテンウオールユニット４の左右一方の縦枠２０と他方のカーテンウオールユニット４の左右他方の縦枠２０が、外向凹部２７，２９と突出片３０，３２を嵌め込んで連結される。
上下に隣接するカーテンウオールユニット４の縦枠２０は、その室外側寄り部分にジョイントスリーブ３４を嵌合して連結される。
【００２４】
前記上枠２１、無目２２、下枠２３は図６に示すように、縦枠２０よりも見込み寸法（室内外側方向の寸法）が小さい。
上枠２１の室内側寄りに上向き凹部３５が形成してあり、下枠２３の室内側寄りに下向き突部３６が形成してある。
この下向き突部３５が、前記上向き凹部３５に取付けた上向きコ字状の枠補強材３７に嵌まり合い、その嵌まり合った部分がシール材３８でシールされる。
【００２５】
前記補助躯体９は図７に示すように、上横片５０と下横片５１と縦片５２で断面Ｉ型の本体５３と、この本体５３の上横片５０と下横片５１と縦片５２に亘ってそれぞれ固着した一対の閉ぎ材５４で形成してある。
この補助躯体９は最上部のカーテンウオールユニット４の枠体２５における最上部の枠部２４を貫通している。
前記補助躯体９の室内側部は図８に示すように床スラブ８を形成するはり８ａに固着され、その補助躯体９の室外側部は、縦部材１を形成する一対の第２縦材１１間に亘って固着されたプレート５５に固着している。
【００２６】
図４のように前記枠体２５の上端部分は後付け可能である。例えば最上部の枠部２４を形成する左右の縦枠上端部分２０ａは左右の縦枠下端部分２０ｂと分割され、この左右の縦枠上端部分２０ａに上枠２１が連結してある。
これによって、前記枠体２５は、左右の縦枠上端部分２０ａと上枠２１で下向コ字形状の上枠体２５ａと、左右の縦枠下端部分２０ｂと無目２２と下枠２３で矩形状の下枠体２５ｂに２分割される。
【００２７】
ユニットを組立てる場合には、前記上枠体２５ａを外した状態とし、下枠体２５ｂの無目２２と、このカーテンウオールユニット４と隣接した左右のカーテンウオールユニット４，４の縦枠２０とで図４に仮想線で示すように上向き凹部５６を形成する。
【００２８】
このようであるから、床スラブ８のはり８ａに補助躯体９を固着して室外側に向けて突出した状態で１つのユニットを吊り上げる際に、その上向き凹部５６が補助躯体９に嵌まり合うようにして吊り上げることで１つのユニットを所定の取付け高さ位置まで真直ぐに吊り上げでき、そのユニットの吊り上げ作業が容易である。つまり、上枠体２５ａを下枠体２５ｂに連結した状態でユニットを吊り上げると上枠２１が補助躯体９の下面に干渉するから、ユニットを室外寄り位置で所定の取付け高さ位置まで吊り上げ、そのユニットを室内側に移動して枠部２４に補助躯体９を挿通して貫通することになるので、そのユニットの吊り上げ作業が面倒である。
【００２９】
前述のようにしてユニットを吊り上げて補助躯体９の室外側部を縦部材１の室内側部（プレート５５）に固着する。
この後に上枠体２５ａを下枠体２５ｂに連結して最上部の枠部２４を形成し、この枠部２４と補助躯体９の隙間をシール材で閉塞する。
例えば、図７に示すように上パネル５７、下パネル５８、縦パネル５９とシール材６０で閉塞する。
【００３０】
次に、前述の最上部の枠部２４と補助躯体９の隙間を閉塞する具体形状を説明する。
図９と図１０に示すように、上枠２１の室内側内面と左右の縦枠上端部分２０ａの室内側内面と無目２２の室内側内面にＬ字状の取付片６１をそれぞれ取付ける。
前記上枠２１の取付片６１に、室内側に向けて開口した箱状の上パネル５７の上縁部をビス６２で固着し、その上パネル５７と上枠２１内面、縦枠上端部分２０ａの内面、補助躯体９上面の間にシール材６０をそれぞれ充填する。
前記無目２２の取付片６１に、室内側に向けて開口した箱状の下パネル５８の下縁部をビス６３で固着し、この下パネル５８と無目２２内面、縦枠上端部分２０ａの内面、補助躯体９下面の間にシール材６０をそれぞれ充填する。
【００３１】
前記縦枠上端部分２０ａに固着した取付片６１にＬ字片６４をビス６５で固着し、このＬ字片６４に縦パネル５９をビス６６で固着する。
この縦パネル５９と縦枠上端部分２０ａ内面、補助躯体９の左右側面の間にシール材６０をそれぞれ充填する。
【００３２】
このようであるから、枠体２５の最上部の枠部２４と補助躯体９との間から雨水等が室内側に浸入することを防止できる。
また、枠部２４の大きさに比べて補助躯体９が小さく、両者の間に大きな隙間があっても、各パネルを取付けたことによりシール部の目地幅が小さくなり、シール材６０で確実に水密できる。
【００３３】
前記縦枠上端部分２０ａと縦枠下端部部２０ｂは前述のファスナー４０で連結される。
前記ファスナー４０は図８に示すように、取付用部材４１と連結部材４２をボルト４３で連結した一次ファスナー４４と、取付用部材４５と連結部材４６をボルト４７で左右揺動自在に連結した二次ファスナー４８を備え、その連結部材４２，４６をボルト４９で面外方向に位置調整可能に連結した形状である。
前記一次ファスナー４４の取付用部材４１が、第２縦材１１に固着した受座７０にボルト７１で取付けてある。二次ファスナー４８の取付用部材４５の上端部分が、縦枠上端部分２０ａに固着したナット７２に螺合するボルト７３で固着され、下端部分が縦枠下端部分２０ｂに嵌合したジョイントスリーブ３４に固着したナット７４に螺合するボルト７５で固着してある。
【００３４】
なお、このファスナー４０の二次ファスナー４８の取付用部材４５は、ユニットを建物躯体に取付ける際には縦枠２０から取り外した状態とし、上枠体２５ａを取付けた後に前述のようにして取付ける。
【００３５】
図９に示すように、下のユニット（例えば下の第１のユニット５）の最上部の縦枠２０と、上のユニット（例えば上の第１のユニット５）の最下部の縦枠２０はジョイントスリーブ３４で連結されている。
ファスナー４０の二次ファスナー４８の取付用部材４５は前述と同様に最下部の縦枠２０と最上部の縦枠２０に跨ってボルトで連結される。
これによって、上下に隣接したユニットの縦枠の上端部と下端部をファスナー４０を用いて連結できる。
【００３６】
以上の説明では、枠体２５の上端部分を下向きコ字状の上枠体２５ａとしたが、その枠体２５の上端部分を一方の縦枠上端部分２０ａと上枠２１で鉤形状、上枠２１のみ、上枠２１の一部分のみ等としても良い。
前記鉤形状の場合には、一方の縦枠上端部分２０ａを縦枠下端部分２０ｂに連結し、上枠２１を他方の縦枠２０に連結する。
前記上枠２１のみの場合には、左右の縦枠２０間に上枠２１を横架する。
前記上枠２１の一部分のみの場合には、その一部分を縦枠２０に連結した部分に連結すれば良い。
【００３７】
【発明の効果】
請求項１に係る発明によれば、室外側から取付用枠部材が見える外観のカーテンウオールであるので、その取付用枠部材の外観意匠を変えることで自由な外観意匠のカーテンウオールとすることができる。
また、補助躯体が枠体の枠部を貫通して取付用枠部材に連結してあるので、その取付用枠部材と補助躯体を容易に連結できる。
また、ユニットを取付ける時に枠体の上端部分を分割して取り外した形状とすることで、ユニットを真直ぐに所定の取付け高さ位置まで吊り上げても枠体が補助躯体と干渉しないから、そのユニットの取付け作業が効率良く実施できる。
【００３８】
請求項２に係る発明によれば、枠体の上端部分が下向きコ字状の上枠体であるので、ユニットを取付けた後に上枠体を、補助躯体を跨ぐようにして容易に取付けできる。
【００３９】
請求項３に係る発明によれば、枠部と補助躯体との間から雨水等が室内側に浸入することを防止できる。
【００４０】
請求項４に係る発明によれば、枠体を形成する上枠体の縦枠上端部分と下枠体の縦枠下端部分がファスナーで連結される。
したがって、カーテンウオールと取付用枠部材の連結と同時に上枠体と下枠体を連結できるので、その作業が容易で効率良く施工できる。
【図面の簡単な説明】
【図１】カーテンウオールの一部外観図である。
【図２】カーテンウオールの一部縦断面図である。
【図３】カーテンウオールの一部横断面図である。
【図４】カーテンウオールユニットの外観図である。
【図５】カーテンウオールユニットの横断面図である。
【図６】カーテンウオールユニットの縦断面図である。
【図７】カーテンウォールの補助躯体貫通部分の外観図である。
【図８】縦部材と補助躯体の連結部の縦断面図である。
【図９】カーテンウォールの補助躯体貫通部分の詳細縦断面図である。
【図１０】カーテンウォールの補助躯体貫通部分の詳細横断面図である。
【符号の説明】
１…縦部材
２…横部材
３…取付用枠部材
４…カーテンウオールユニット
５…第１のユニット
６…第２のユニット
７…第３のユニット
８…床スラブ（建物躯体）
９…補助躯体
２０…縦枠
２０ａ…縦枠上端部分
２０ｂ…縦枠下端部分
２１…上枠
２２…無目
２３…下枠
２４…枠部
２５…枠体
２５ａ…上枠体
２５ｂ…下枠体
４０…ファスナー
４４…一次ファスナー
４８…二次ファスナー
６０…シール材
【図１】
0003721532.tif 000002
【図２】
0003721532.tif 000003
【図３】
0003721532.tif 000004
【図４】
0003721532.tif 000005
【図５】
0003721532.tif 000006
【図６】
0003721532.tif 000007
【図７】
0003721532.tif 000008
【図８】
0003721532.tif 000009
【図９】
0003721532.tif 000010
【図１０】
0003721532.tif 000011